(57)【要約】【課題】比較的大きな塵埃はもちろんのこと、微細な塵埃に対しても除去性能が高く、除去した塵埃の床面への再付着もなく、かつ製造コストを削減することのできるようにする。【解決手段】吸込具本体１の吸込口３に臨ませて単一方向回転のみ可能に設けた回転清掃体４を、回転軸４１と、回転軸４１の外周上に軸方向に延長して配設された清掃体４２とから形成するとともに、清掃体４２を、２層のブラシ列から構成し、かつその回転方向前側に位置するブラシ列４２２を、そのブラシ繊維の曲げ弾性が、回転方向後側に位置するブラシ列４２３のブラシ繊維の曲げ弾性より弱くなるように設定する。【選択図】        図４
2005013319.tif 000002
【特許請求の範囲】
【請求項１】
底面に吸込口を有する吸込具本体に、前記吸込口に臨ませて回転清掃体を単一方向回転のみ可能に設けた電気掃除機の吸込具において、
前記回転清掃体は、回転軸と、該回転軸の外周上に軸方向に延長して配設された清掃体とを有し、
前記清掃体は、２層のブラシ列から構成し、かつその回転方向前側に位置するブラシ列は、そのブラシ繊維の曲げ弾性が、回転方向後側に位置するブラシ列のブラシ繊維の曲げ弾性より弱くなるように設定したことを特徴とする電気掃除機の吸込具。
【請求項２】
回転方向前側に位置するブラシ列を、繊維径φ３０μｍ以下のブラシ繊維から構成したことを特徴とする請求項１記載の電気掃除機の吸込具。
【請求項３】
回転方向後側に位置するブラシ列のブラシ繊維の毛足の長さを、回転方向前側に位置するブラシ列のブラシ繊維の毛足の長さよりも短くなるように設定したことを特徴とする請求項１又は請求項２記載の電気掃除機の吸込具。
【請求項４】
底面に吸込口を有する吸込具本体に、前記吸込口に臨ませて回転清掃体を設けた電気掃除機の吸込具において、
前記回転清掃体は、回転軸と、該回転軸の外周上に軸方向に延長して配設された清掃体とを有し、
前記清掃体は、ループ状繊維と、該ループ状繊維のループ内に配置された弾性体とから構成したことを特徴とする電気掃除機の吸込具。
【請求項５】
ループ状繊維を、繊維径φ３０μｍ以下の繊維から構成したことを特徴とする請求項４記載の電気掃除機の吸込具。
【請求項６】
底面に吸込口を有する吸込具本体に、前記吸込口に臨ませて回転清掃体を設けた電気掃除機の吸込具において、
前記回転清掃体は、回転軸と、該回転軸の外周上に軸方向に延長して配設された清掃体とを有し、
前記清掃体は、ブラシ列から構成し、かつそのブラシ列は、そのブラシ繊維の先端側が複数の繊維、根元側が単一または撚りあわされた繊維で構成されてなることを特徴とする電気掃除機の吸込具。
【請求項７】
底面に吸込口を有する吸込具本体に、前記吸込口に臨ませて回転清掃体を設けた電気掃除機の吸込具において、
前記回転清掃体は、回転軸と、該回転軸の外周上に軸方向に延長して配設された清掃体とを有し、
前記清掃体は、ブラシ列から形成し、かつそのブラシ列は、そのブラシ繊維の断面が多角形または凹多角形の繊維で構成されてなることを特徴とする電気掃除機の吸込具。
【請求項８】
底面に吸込口を有する吸込具本体に、前記吸込口に臨ませて回転清掃体を設けた電気掃除機の吸込具において、
前記回転清掃体は、回転軸と、該回転軸の外周上に軸方向に延長して配設された清掃体とを有し、
前記清掃体は、ブラシ列から形成し、かつそのブラシ列は、そのブラシ繊維の表面に凸部または突起物が形成されてなることを特徴とする電気掃除機の吸込具。
【請求項９】
底面に吸込口を有する吸込具本体に、前記吸込口に臨ませて回転清掃体を設けた電気掃除機の吸込具において、
前記回転清掃体を、回転軸と、該回転軸の外周上に軸方向に延長して配設された清掃体とを有し、
前記清掃体は、ブラシ列から形成し、かつそのブラシ列は、そのブラシ繊維の表面に凹部が形成されてなることを特徴とする電気掃除機の吸込具。
【請求項１０】
ブラシ繊維の表面を、汚れの付着しにくい表面エネルギの低い素材でコーティングしたことを特徴とする請求項１乃至請求項９のいずれかに記載の電気掃除機の吸込具。
【請求項１１】
ブラシ繊維を、汚れの付着しにくい表面エネルギの低い素材から構成したことを特徴とする請求項１乃至請求項９のいずれかに記載の電気掃除機の吸込具。
【請求項１２】
表面エネルギの低い素材としてフッ素系樹脂を用いたことを特徴とする請求項１０又は請求項１１記載の電気掃除機の吸込具。
【請求項１３】
ブラシ繊維が床面から離れているとき、ばらけるように構成されてなることを特徴とする請求項１乃至請求項１２のいずれかに記載の電気掃除機の吸込具。
【請求項１４】
ブラシ繊維のばらつきは、吸込具本体に吸引されるエアの吹き付けにより行われることを特徴とする請求項１３記載の電気掃除機の吸込具。
【発明の詳細な説明】
【０００１】
【発明の属する技術分野】
本発明は、吸込口に回転清掃体を備えた電気掃除機の吸込具に関するものである。
【０００２】
【従来の技術】
従来、この種の電気掃除機の吸込具に用いられる回転清掃体は、底面の吸込口に面して配置される回転軸と、この回転軸の外周上に軸方向に延長して設けられる清掃体とから形成される。
そして、このようなものにおいて、清掃体を３層のブラシ列から構成し、清掃体厚み方向中央に位置するブラシ列すなわち弾性材を、清掃体厚み方向両端に位置するブラシ列すなわち弾性材に比較して硬質の弾性材から構成したり、これに加えて前記両端に位置する弾性材の高さを、前記中央に位置する弾性材の高さに比較して高くすることで、床や畳の掃除においては、前記両端に位置する柔らかい弾性材が床面等に接し、前記中央に位置する比較的硬質の弾性材が接しにくいようにし、絨毯の掃除においては、前記両端に位置する柔らかい弾性材が、前記中央に位置する硬質の弾性材に支持されて極端に曲がることがなく、絨毯面に絡みついたゴミや糸屑を十分に掻き出すことができるようにして、床や畳の掃除においても、また絨毯の掃除においても、被掃除面を傷つけることなく、常に良好な掃除状態を維持できるようにしたものが提案されている（例えば特許文献１参照）。
【０００３】
また、清掃体を、長尺の繊維束を蛇行状に折曲した所定幅の帯板状体の両側縁部に紐状の取付用部材を縫付、編込、接着等の手段で各々固着させて構成し、かつその幅方向の中央付近で折り返し、前記両側縁部の取付用部材を各々回転軸の外周に設けた複数条の支持溝内に挿入固定することにより、清掃体の自由端にループパイル部を形成して、清掃体に繊維ごみ等がからみつくのを防止するようにしたものが提案されている（例えば特許文献２参照）。
【０００４】
また、清掃体をブレードから構成し、そのブレードの側面に多数の突起を形成し、あるいはそのブレードの側面にその長手方向に延びる複数の突条を形成して、集塵性能を向上させるようにしたものが提案されている（例えば特許文献３および特許文献４参照）。
【０００５】
【特許文献１】
特開平７−５９６８９号公報
【特許文献２】
特開２００２−５１７号公報
【特許文献３】
実開平３−８４０５６号公報
【特許文献４】
特開平５−４９５６５号公報
【０００６】
【発明が解決しようとする課題】
しかしながら、回転清掃体の清掃体が３層のブラシ列からなるものにあっては、回転清掃体を一方向にしか回転しない通常タイプ（電気掃除機の吸込具の回転清掃体の多くは一方向にしか回転しない）のものに使用した場合、清掃体の回転方向前方に位置するブラシ列（弾性材）は、そのバックアップとして作用する清掃体中央部の硬質なブラシ列（弾性材）により床面に押し付けられ、塵埃除去に寄与するが、回転方向後方に位置するブラシ列（弾性材）は、中央部の硬質なブラシ列（弾性材）で床面に押し付けられることはなく、塵埃除去にあまり寄与しない。
【０００７】
また、このような３層構造の清掃体を有する回転清掃体の製造は、まず清掃体厚み方向両端に位置する２列のブラシ列と清掃体厚み方向中央に位置する１列のブラシ列を基台上に形成して、計３列のブラシ列からなる一つの清掃体を製作し、このような清掃体を複数製作し、その後、これら清掃体を回転軸に取り付けることにより行われる。このため、製造工程が複雑で、コスト高を招いていた。
【０００８】
更に、清掃体を、長尺の繊維束をその幅方向中央で折り返してなるループパイルから構成したものにあっては、髪の毛等の繊維ごみを絡みつき難くすることはできるが、ループパイルをバックアップして床面に押し付ける手段が存在しないため、集塵性能はさほど向上しない。
【０００９】
更にまた、清掃体をブレードから構成し、そのブレードの側面に多数の突起や長手方向に延びる複数の突条を形成したものにあっては、絨毯上の糸、毛などの除去性能を向上させることはできるが、一般家庭の床面に多く存在する土埃、花粉、小麦粉・片栗粉などの食材の飛散物等、粒径４０μｍ以下の微細塵埃に対する除去性能は十分ではなかった。この微細塵埃に対する問題は、前述の各従来例においても存在していた。
【００１０】
また、いずれの従来例においても、清掃体に塵埃を付着し難くする、あるいは清掃体に付着した塵埃を剥離・放出させるための配慮がなされていなかった。
【００１１】
本発明は、叙上の点に鑑み、比較的大きな塵埃はもちろんのこと、微細な塵埃に対しても除去性能が高く、除去した塵埃の床面への再付着もなく、かつ製造コストを削減することのできる安価な電気掃除機の吸込具を得ることを目的とする。
【００１２】
【課題を解決するための手段】
本発明に係る電気掃除機の吸込具は、下記の構成からなるものである。すなわち、底面に吸込口を有する吸込具本体に、吸込口に臨ませて回転清掃体を単一方向回転のみ可能に設けた電気掃除機の吸込具において、回転清掃体は、回転軸と、回転軸の外周上に軸方向に延長して配設された清掃体とを有し、清掃体は、２層のブラシ列から構成し、かつその回転方向前側に位置するブラシ列は、そのブラシ繊維の曲げ弾性が、回転方向後側に位置するブラシ列のブラシ繊維の曲げ弾性より弱くなるように設定したものである。
【００１３】
本発明の電気掃除機の吸込具のように、回転軸の外周上に軸方向に延長して配設される清掃体を、２層のブラシ列から構成し、かつその回転方向前側に位置するブラシ列のブラシ繊維の曲げ弾性を、回転方向後側に位置するブラシ列のブラシ繊維の曲げ弾性より弱くなるように設定することにより、製造が容易となってコストを削減することができる。また、例えば従来の３層のブラシ列方式のものにおける最後列のブラシ列を前側に配置して本発明のような２層のブラシ列方式とすれば、同量（同じ厚み）のブラシでより高い除塵性能を得ることができる。
【００１４】
【発明の実施の形態】
実施形態１．
図１は本発明の請求項１、２、１０〜１４に係る電気掃除機の吸込具の外観を示す上面図、図２はその上面断面図、図３はその側面断面図、図４はその要部である回転清掃体を拡大して示す側面断面図、図５はその清掃体の除塵動作の説明図である。
【００１５】
本実施形態の電気掃除機の吸込具は、吸込具本体１の後方に接続パイプ２が設けられ、ホース（図示せず）を介して電気掃除機本体（図示せず）に接続されるようになっている。吸込具本体１の前縁部にはブラシクリーニング用のエアスリット１１が、またその底部には吸込口３が設けられているとともに、吸込口３に臨ませて単一方向（図４の矢印方向）回転のみ可能に回転清掃体４が設けられている。
【００１６】
回転清掃体４は、回転軸４１と、回転軸４１の外周上に等間隔毎に配置されて軸方向に延長して設置された複数（ここでは４つ）の清掃体４２とを有している。各清掃体４２は、それぞれ基台４２１に植設された回転方向前後２層のブラシ列４２２，４２３からなり、このうち回転方向前側に位置するブラシ列４２２は、繊維径３０μｍ以下の曲げ弾性の弱い繊維で構成され、また回転方向後ろ側に位置するブラシ列４２３は、前列より太い繊維径（例えば１００μｍ程度）からなる曲げ弾性の強い繊維で構成されている。更に、曲げ弾性の弱いブラシ列４２２を構成する繊維と曲げ弾性の強いブラシ列４２３を構成する繊維は、いずれも表面エネルギの低い素材、例えばフッ素系樹脂でコーティングしたもの、または繊維そのものがフッ素系樹脂でできたものを使用しており、清掃体４２は、回転軸４１に設けられた溝４１１に基台４２１を挿入することで固定されるようになっている。
【００１７】
また、回転清掃体４には、図３のように駆動源（モータ）５からベルト６、回転軸プーリ４３を介して駆動力が伝達されるようになっていて、回転清掃体４の回転によって清掃体４２が床面９と接触することにより、床面９の塵埃が除去され、除去された塵埃は吸引気流により吸込具内風路１２を経て接続パイプ２から電気掃除機本体へ輸送されるようになっている。なお、吸込具本体１には前車輪７と後車輪８が設けられている。
【００１８】
以上の構成を有する本実施形態の電気掃除機の吸込具電気掃除機の吸込具において、回転清掃体４が回転すると、図５のように細い繊維径からなる曲げ弾性の弱いブラシ列４２２が、太い繊維径からなる曲げ弾性の強いブラシ列４２３により押さえつけられながら床面９と接触する。このため、比較的大きな塵埃はもちろんのこと、土埃、花粉、小麦粉・片栗粉などの食材の飛散物等、粒径４０μｍ以下の粒子からなる微細塵埃１０も除去することができる。
【００１９】
すなわち、従来使用されているこの種のブラシ繊維は、前述の曲げ弾性の強いブラシ列４２３等で使用されるような繊維径１００μｍ程度のものが殆どであり、微細塵埃１０をブラシ繊維が乗り越えて（かすって）しまい、うまく除去できなかったのに対し、本実施形態においては曲げ弾性の弱いブラシ列４２２として微細塵埃１０の粒径に近い繊維径φ３０μｍ以下のものを使用しているので、除去時の乗り越え（かすり）が低減され、塵埃除去性能が高まる。
【００２０】
また、曲げ弾性の弱いブラシ列４２２のみでは床面への押し付け圧力が弱く、除去時に微細塵埃１０を乗り越えて（かすって）しまい、うまく除去されない場合があるが、本実施形態のように曲げ弾性の弱いブラシ列４２２を、曲げ弾性の強いブラシ列４２３によって後方から押さえつけながら微細塵埃１０を除去することにより、床面９への押し付け力が増し、塵埃除去時の乗り越え（かすり）を減らすことができ、塵埃除去性能を高めることができる。
【００２１】
更に、３層ブラシ列からなる従来の複雑で高価な清掃体に対し、本実施形態の清掃体は２層のブラシ列４２２，４２３からなるため、製造工程が簡素化され、製造が容易となって、製造コストを削減することができる。また、例えば従来の３層ブラシ列方式のものにおける最後列のブラシ列を前側に配置して本実施形態のような２層ブラシ列方式とすれば、同量（同じ厚み）のブラシでより高い除塵性能を得ることができる。
【００２２】
また、各ブラシ列４２２，４２３を構成するブラシ繊維を、いずれも表面エネルギの低いフッ素系樹脂等の素材でコーティングし、またはブラシ繊維そのものがフッ素系樹脂等の素材でできたものを使用しているので、その防汚効果によりブラシ繊維表面に微細塵埃１０が付着し難く、また例え付着しても剥離し易く、吸引気流に放出され易い。このため、床面９から除去された微細塵埃１０が床面９に再付着することが抑制され、除去性能が向上する。なお、フッ素系コーティングを施したブラシ繊維を使用する場合は、ブラシ繊維そのものの素材を自由に選べるので、曲げ弾性の最適化による塵埃除去性能のさらなる向上が図れる。また、ブラシ繊維そのものがフッ素系樹脂からなる場合は、コーティングのような摩耗・剥離がなく、長期的に防汚機能が得られる。
【００２３】
また、図３のように回転清掃体４が回転時に清掃体４２が床面９をはなれ、吸込具本体１の前縁部に設けられたエアスリット１１の近傍を通過するとき、エアスリット１１から吸引された気流が清掃体４２に吹き付けられる。このときの吹き付け気流の圧力により、曲げ弾性の弱いブラシ列４２２や曲げ弾性の強いブラシ列４２３を構成するブラシ繊維はばらけて、ブラシ繊維間に保持された塵埃が放出されるとともに、ブラシ繊維に付着していた塵埃も剥がれ易くなる。さらに吸込口３からの吸引気流による吹き付け効果と相俟って清掃体４２がクリーニングされ、微細塵埃１０などが床面９に再付着することが抑制され、塵埃除去性能が向上する。この吸引気流の吹き付けによるクリーニング効果は、前述のフッ素系樹脂による防汚効果と相俟ってより高められ、塵埃除去性能のさらなる向上が期待できる。
【００２４】
実施形態２．
図６は本発明の請求項１〜３、１０〜１４に係る電気掃除機の吸込具の要部である回転清掃体を拡大して示す側面断面図であり、図中、前述の第１実施形態のものと同一部分には同一符号を付してある。なお、説明にあたっては前述の図１、図３、及び図５を参照するものとする。
【００２５】
本実施形態の電気掃除機の吸込具は、回転方向後側に位置するブラシ列４２３Ａのブラシ繊維の毛足の長さを、回転方向前側に位置するブラシ列４２２のブラシ繊維の毛足の長さよりも短くなるように設定した点に特徴を有し、それ以外のブラシ繊維径やフッ素系コーティングあるいは材質等の構成およびそれによる作用は前述の第１実施形態のものと全て同一であり、第１実施形態のもつ機能を全て備えている。
【００２６】
本実施形態の電気掃除機の吸込具のように、曲げ弾性の強い回転方向後ろ側のブラシ列４２３Ａの毛足の長さを、曲げ弾性の弱い回転方向前側のブラシ列４２２の毛足よりも短く調整することにより、回転清掃体４が回転したときの微細塵埃１０の除去に関する作用、塵埃除去性能は前述の第１実施形態のものと同様に高めることができる。つまり、曲げ弾性の強い回転方向後ろ側のブラシ列４２３Ａが、曲げ弾性の弱い回転方向前側のブラシ列４２２のバックアップとして働き、回転方向前側のブラシ列４２２は、回転方向後ろ側のブラシ列４２３Ａによって押さえつけられながら床面９と接触する。このため、比較的大きな塵埃はもちろんのこと、土埃、花粉、小麦粉・片栗粉などの食材の飛散物等、粒径４０μｍ以下の粒子からなる微細塵埃１０も除去することができる。
【００２７】
また、本実施形態においては、回転清掃体４の回転時の床面９との摩擦抵抗が調節可能となり、回転清掃体４の回転数が調整でき、塵埃除去性能に優位な回転数の設定が可能となる。このため、塵埃除去性能をさらに高めることができる。さらに、曲げ弾性の強いブラシ列４２３Ａの毛足を短く調整することで、曲げ弾性の弱い回転方向前側のブラシ列４２２の床面への押し付け圧力・接触具合も調整可能となり、押し付け圧力が高くなりすぎることによる回転数の低下等を防止できる。このため、塵埃除去性能が高まるように押し付け圧力と回転数を最適化することにより、塵埃除去性能を高めることができる。
【００２８】
実施形態３．
図７は本発明の請求項４、５、１０〜１４に係る電気掃除機の吸込具の一実施例の要部である回転清掃体を拡大して示す側面断面図であり、図中、前述の第１実施形態のものと同一部分には同一符号を付してある。なお、ここでも説明にあたっては前述の図１、図３、及び図５を参照するものとする。
【００２９】
本実施形態の電気掃除機の吸込具は、回転清掃体４が、回転軸４１と、回転軸４１の外周上に等間隔毎に配置されて軸方向に延長して設置された複数（ここでも４つ）の清掃体４２とを有している。各清掃体４２は、それぞれ基台４２１の回転方向中央部に植設された弾性体４２４と、弾性体４２４を覆うように設けられて、両端が基台４２１における回転方向前側と後ろ側すなわち弾性体４２４の前後に植設された繊維径３０μｍ以下のループ状繊維４２５とから構成されている。また、ループ状繊維４２５を構成する繊維は、表面エネルギの低い素材、例えばフッ素系樹脂でコーティングしたもの、または繊維そのものがフッ素系樹脂でできたものを使用しており、清掃体４２は、回転軸４１に設けられた溝４１１に基台４２１を挿入することで固定されるようになっている。
【００３０】
すなわち、ループ状繊維４２５は、弾性体４２４を締め付けるのではなく、弾性体４２４をある程度弛みのある状態でループ状に覆い、両端が基台４２１に植設されている。なお、ここではループ状繊維４２５が回転軸４１の軸方向に垂直な面内でループを形成しているものを例に挙げて説明しているが、ループ形状はこれに限らず、螺旋状ループや複数のループが交差するようなループ形状など種々の形態のものが採用可能である。要するに、弾性体４２４を弛みのある状態で覆うようなループ形状であればよい。それ以外の構成は前述の第１実施形態のものと同様である。
【００３１】
このように構成された本実施形態の電気掃除機の吸込具において、回転清掃体４が回転すると、前述の第１実施形態のものと同様に、微細塵埃１０の粒径に近い繊維径３０μｍ以下の繊維からなるループ状繊維４２５が、バックアップ機能をもつ弾性体４２４に押さえつけられながら床面９と接触する。このため、床面９への押し付け力が増し、塵埃除去時の乗り越え（かすり）を減らすことができ、塵埃除去性能を高めることができる。
【００３２】
また、回転に伴って床面９から離れたループ状繊維４２５は、弛んだ状態となり、繊維間に保持された塵埃が放出されるとともに、繊維に付着している塵埃も剥がれやすくなる。さらに、エアスリット１１の近傍を通過するとき、エアスリット１１から吸引された気流がループ状繊維４２５に吹き付けられる。このときの吹き付け気流の圧力により、繊維径３０μｍ以下のループ状繊維４２５は捌けて、ループ状繊維間に保持された塵埃が放出されるとともに、ブラシ繊維に付着していた塵埃も剥がれ易くなる。さらに吸込口３からの吸引気流による吹き付け効果と相俟ってループ状繊維４２５がクリーニングされ、微細塵埃１０などが床面９に再付着することが抑制され、塵埃除去性能が向上する。この吸引気流の吹き付けによるクリーニング効果は、前述のフッ素系樹脂による防汚効果との相乗効果によりさらに高められ、塵埃除去性能の一層の向上が期待できる。
【００３３】
実施形態４．
図８は本発明の請求項４、５、１０〜１４に係る電気掃除機の吸込具の他の実施例の要部である回転清掃体を拡大して示す側面断面図であり、図中、前述の第３実施形態のものと同一部分には同一符号を付してある。なお、ここでも説明にあたっては前述の図１、図３、及び図５を参照するものとする。
【００３４】
本実施形態の電気掃除機の吸込具は、回転清掃体４が、回転軸４１と、回転軸４１の外周上に等間隔毎に配置されて軸方向に延長して設置された複数（ここでも４つ）の清掃体４２とを有している。各清掃体４２は、それぞれ基台４２１の回転方向中央部に植設された弾性体４２４と、弾性体４２４の先端部を覆うように設けられて、両端が弾性体４２４の前後面に植設された繊維径３０μｍ以下の繊維からなるループ状繊維４２５Ａとから構成されている。また、ループ状繊維４２５Ａを構成する繊維は、表面エネルギの低い素材、例えばフッ素系樹脂でコーティングしたもの、または繊維そのものがフッ素系樹脂でできたものを使用しており、清掃体４２は、回転軸４１に設けられた溝４１１に基台４２１を挿入することで固定されるようになっている。
【００３５】
すなわち、ループ状繊維４２５Ａは、弾性体４２４の先端部を締め付けるのではなく、弾性体４２４の先端部をある程度弛みのある状態でループ状に覆い、両端が弾性体４２４の高さ方向中間部の前後面に植設されている。なお、ここでもループ状繊維４２５Ａが回転軸４１の軸方向に垂直な面内でループを形成しているものを例に挙げて説明しているが、ループ形状はこれに限らず、螺旋状ループや複数のループが交差するようなループ形状など種々の形態のものが採用可能である。要するに、弾性体４２４の先端部を弛みのある状態で覆うようなループ形状であればよい。それ以外の構成は前述の第３実施形態のものと同様であり、第３実施形態のもつ機能を全て備えている。
【００３６】
このように構成された本実施形態の電気掃除機の吸込具において、回転清掃体４が回転すると、前述の第１実施形態のものと同様に、微細塵埃１０の粒径に近い繊維径３０μｍ以下の繊維からなるループ状繊維４２５Ａが、バックアップ機能をもつ弾性体４２４に押さえつけられながら床面９と接触する。このため、床面９への押し付け力が増し、塵埃除去時の乗り越え（かすり）を減らすことができ、塵埃除去性能を高めることができる。
【００３７】
また、回転に伴って床面９から離れたループ状繊維４２５Ａは、弛んだ状態となり、繊維間に保持された塵埃が放出されるとともに、繊維に付着している塵埃も剥がれやすくなる。さらに、エアスリット１１の近傍を通過するとき、エアスリット１１から吸引された気流がループ状繊維４２５Ａに吹き付けられる。このときの吹き付け気流の圧力により、繊維径３０μｍ以下のループ状繊維４２５Ａは捌けて、ループ状繊維間に保持された塵埃が放出されるとともに、ブラシ繊維に付着していた塵埃も剥がれ易くなる。さらに吸込口３からの吸引気流による吹き付け効果と相俟ってループ状繊維４２５Ａがクリーニングされ、微細塵埃１０などが床面９に再付着することが抑制され、塵埃除去性能が向上する。この吸引気流の吹き付けによるクリーニング効果は、前述のフッ素系樹脂による防汚効果との相乗効果によりさらに高められ、塵埃除去性能の一層の向上が期待できる。
【００３８】
また、本実施形態のループ状繊維４２５Ａは、前述の第３実施形態のループ状繊維４２５に比べ繊維長さが短くてよく、その分、材料費が安くつき、製造コストを削減することができる。
【００３９】
実施形態５．
図９は本発明の請求項６、１０〜１４に係る電気掃除機の吸込具の要部である回転清掃体を拡大して示す側面断面図、図１０はその回転清掃体を構成するブラシ繊維を拡大して先端側より示す斜視図であり、各図中、前述の第１実施形態のものと同一部分には同一符号を付してある。なお、ここでも説明にあたっては前述の図１、図３、及び図５を参照するものとする。
【００４０】
本実施形態の電気掃除機の吸込具は、回転清掃体４が、回転軸４１と、回転軸４１の外周上に等間隔毎に配置されて軸方向に延長して設置された複数（ここでも４つ）の清掃体４２とを有している。各清掃体４２は、それぞれ基台４２１に植設された先端多毛ブラシ繊維４２６でなるブラシ列から構成されている。すなわち、先端多毛ブラシ繊維４２６は、図１０のようにその先端側が複数繊維４２６ａ、根元側が単一繊維（モノフィラメントまたは撚りあわされた繊維）４２６ｂからなり、根元側の繊維径が先端側の繊維径よりも太くなっている。また、先端多毛ブラシ繊維４２６は、表面エネルギの低い素材、例えばフッ素系樹脂でコーティングしたもの、または繊維そのものがフッ素系樹脂でできたものを使用しており、清掃体４２は、回転軸４１に設けられた溝４１１に基台４２１を挿入することで固定されるようになっている。それ以外の構成は前述の第１実施形態のものと同様である。
【００４１】
このように構成された本実施形態の電気掃除機の吸込具において、回転清掃体４が回転すると、先端側の複数繊維４２６ａが根元側の単一繊維４２６ｂに押し付けられた状態で床面９と接触する。このため、床面９への押し付け力が増し、微細塵埃１０の乗り越え（かすり）を減らすことができ、塵埃除去性能を高めることができる。
【００４２】
また、清掃体４２は先端多毛ブラシ繊維４２６の１種類（単層）のみを基台４２１に植設するだけでよく、製造工程が簡素となり、製造コストを削減することができる。
【００４３】
また、先端多毛ブラシ繊維４２６を表面エネルギの低いフッ素系樹脂等の素材でコーティングし、または先端多毛ブラシ繊維４２６そのものがフッ素系樹脂等の素材でできたものを使用しているので、その防汚効果によりブラシ繊維表面に微細塵埃１０が付着し難く、また例え付着しても剥離し易く、吸引気流に放出され易い。このため、床面９から除去された微細塵埃１０が床面９に再付着することが抑制され、塵埃除去性能が向上する。
【００４４】
実施形態６．
図１１は本発明の請求項７、１０〜１４に係る電気掃除機の吸込具の要部である回転清掃体を構成するブラシ繊維の一例を拡大して先端側より示す斜視図、図１２はそのブラシ繊維の他の例を拡大して先端側より示す斜視図である。なお、ここでは説明にあたって前述の図１、図３、図５、及び図９を参照するものとする。
【００４５】
本実施形態の電気掃除機の吸込具は、清掃体４２の基台４２１に植設されるブラシ繊維として、前述の第５実施形態の先端多毛ブラシ繊維４２６に代えて、図１１のように断面が多角形（ここでは５角形）のブラシ繊維４２７、または図１２のように断面が凹多角形（ここでは十字形）のブラシ繊維４２８を用いた点に特徴を有し、それ以外のフッ素系コーティングあるいは材質等の構成は前述の第５実施形態のものと全て同一である。
【００４６】
このように構成された本実施形態の電気掃除機の吸込具において、回転清掃体４が回転すると、多角形ブラシ繊維４２７（又は凹多角形ブラシ繊維４２８）が床面９に接触し、この多角形ブラシ繊維４２７（又は凹多角形ブラシ繊維４２８）の弾性によってその表面が床面９に押し付けられる。このとき、多角形ブラシ繊維４２７（又は凹多角形ブラシ繊維４２８）の表面の多角形コーナーエッジ部分に圧力が集中し、押し付け圧力が部分的に高まり、床面９から微細塵埃１０を効率よく剥離させることができる。このため、塵埃除去性能が向上する。
【００４７】
また、多角形ブラシ繊維４２７（又は凹多角形ブラシ繊維４２８）を表面エネルギの低いフッ素系樹脂等の素材でコーティングし、または多角形ブラシ繊維４２７（又は凹多角形ブラシ繊維４２８）そのものをフッ素系樹脂等の素材でできたものを使用することで、その防汚効果によりブラシ繊維表面に微細塵埃１０が付着し難くすることができ、また例え付着しても剥離し易く、吸引気流に放出され易くすることができる。このため、床面９から除去された微細塵埃１０が床面９に再付着することが抑制され、塵埃除去性能が向上する。
【００４８】
なお、ここでは多角形ブラシ繊維４２７として断面が５角形のものを、また凹多角形ブラシ繊維４２８として断面が十字形のものを、それぞれ例に挙げて説明したが、これらの角数を増減させた断面形状のものを採用することもでき、この場合でも本実施形態のものと同等の作用、効果を奏する。
【００４９】
実施形態７．
図１３は本発明の請求項８、１０〜１４に係る電気掃除機の吸込具の要部である回転清掃体を構成するブラシ繊維の一例を拡大して先端側より示す斜視図、図１４はそのブラシ繊維の他の例を拡大して先端側より示す斜視図である。なお、ここでも説明にあたって前述の図１、図３、図５、及び図９を参照するものとする。
【００５０】
本実施形態の電気掃除機の吸込具は、清掃体４２の基台４２１に植設されるブラシ繊維として、前述の第５実施形態の先端多毛ブラシ繊維４２６に代えて、図１３のように表面に各種形状の凸部４２９ａ，４２９ｂ，４２９ｃ…が形成された凸部付きブラシ繊維４２９、または図１４のように表面に突起物４３０ａが形成された突起物付きブラシ繊維４３０を用いた点に特徴を有し、それ以外のフッ素系コーティングあるいは材質等の構成は前述の第５実施形態のものと全て同一である。
【００５１】
このように構成された本実施形態の電気掃除機の吸込具において、回転清掃体４が回転すると、凸部付きブラシ繊維４２９（突起物付きブラシ繊維４３０）が床面９に接触し、この凸部付きブラシ繊維４２９（突起物付きブラシ繊維４３０）の弾性によってその表面が床面９に押し付けられる。このとき、凸部付きブラシ繊維４２９の表面の凸部４２９ａ，４２９ｂ，４２９ｃ…（突起物付きブラシ繊維４３０の表面の突起物４３０ａ）に圧力が集中し、押し付け圧力が部分的に高まり、床面９から微細塵埃１０を効率よく剥離させることができる。このため、塵埃除去性能が向上する。
【００５２】
また、凸部付きブラシ繊維４２９（突起物付きブラシ繊維４３０）を表面エネルギの低いフッ素系樹脂等の素材でコーティングし、または凸部付きブラシ繊維４２９（突起物付きブラシ繊維４３０）そのものをフッ素系樹脂等の素材でできたものを使用することで、その防汚効果によりブラシ繊維表面に微細塵埃１０が付着し難くすることができ、また例え付着しても剥離し易く、吸引気流に放出され易くすることができる。このため、床面９から除去された微細塵埃１０が床面９に再付着することが抑制され、塵埃除去性能が向上する。
【００５３】
実施形態８．
図１５は本発明の請求項９、１０〜１４に係る電気掃除機の吸込具の要部である回転清掃体を構成するブラシ繊維を拡大して先端側より示す斜視図である。なお、ここでも説明にあたって前述の図１、図３、図５、及び図９を参照するものとする。
【００５４】
本実施形態の電気掃除機の吸込具は、清掃体４２の基台４２１に植設されるブラシ繊維として、前述の第５実施形態の先端多毛ブラシ繊維４２６に代えて、図１５のように表面に各種形状の凹部４３１ａ，４３１ｂ，４３１ｃ，４３１ｄ…が形成された凹部付きブラシ繊維４３１を用いた点に特徴を有し、それ以外のフッ素系コーティングあるいは材質等の構成は前述の第５実施形態のものと全て同一である。
【００５５】
このように構成された本実施形態の電気掃除機の吸込具において、回転清掃体４が回転すると、凹部付きブラシ繊維４３１が床面９に接触し、この凹部付きブラシ繊維４３１の弾性によってその表面が床面９に押し付けられる。このとき、凹部付きブラシ繊維４３１の表面と凹部４３１ａ，４３１ｂ，４３１ｃ，４３１ｄ…のエッジ部分に圧力が集中し、押し付け圧力が部分的に高まり、床面９から微細塵埃１０を効率よく剥離させることができる。このため、塵埃除去性能が向上する。
【００５６】
また、凹部付きブラシ繊維４３１を表面エネルギの低いフッ素系樹脂等の素材でコーティングし、または凹部付きブラシ繊維４３１そのものをフッ素系樹脂等の素材でできたものを使用することで、その防汚効果によりブラシ繊維表面に微細塵埃１０が付着し難くすることができ、また例え付着しても剥離し易く、吸引気流に放出され易くすることができる。このため、床面９から除去された微細塵埃１０が床面９に再付着することが抑制され、塵埃除去性能が向上する。
【００５７】
【発明の効果】
以上述べたように、本発明によれば、回転軸の外周上に軸方向に延長して配設される清掃体を、２層のブラシ列から構成し、かつその回転方向前側に位置するブラシ列は、そのブラシ繊維の曲げ弾性が、回転方向後側に位置するブラシ列のブラシ繊維の曲げ弾性より弱くなるように設定したので、製造が容易となってコストを削減することができた。
【図面の簡単な説明】
【図１】本発明の第１実施形態に係る電気掃除機の吸込具の外観を示す上面図である。
【図２】第１実施形態に係る電気掃除機の吸込具の上面断面図である。
【図３】第１実施形態に係る電気掃除機の吸込具の側面断面図である。
【図４】第１実施形態に係る電気掃除機の吸込具の要部である回転清掃体を拡大して示す側面断面図である。
【図５】第１実施形態に係る電気掃除機の吸込具の清掃体の除塵動作の説明図である。
【図６】本発明の第２実施形態に係る電気掃除機の吸込具の要部である回転清掃体を拡大して示す側面断面図である。
【図７】本発明の第３実施形態に係る電気掃除機の吸込具の要部である回転清掃体を拡大して示す側面断面図である。
【図８】本発明の第４実施形態に係る電気掃除機の吸込具の要部である回転清掃体を拡大して示す側面断面図である。
【図９】本発明の第５実施形態に係る電気掃除機の吸込具の要部である回転清掃体を拡大して示す側面断面図である。
【図１０】第５実施形態に係る電気掃除機の吸込具の回転清掃体を構成するブラシ繊維を拡大して先端側より示す斜視図である。
【図１１】本発明の第６実施形態に係る電気掃除機の吸込具の要部である回転清掃体を構成するブラシ繊維の一例を拡大して先端側より示す斜視図である。
【図１２】第６実施形態に係る電気掃除機の吸込具の要部である回転清掃体を構成するブラシ繊維の他の例を拡大して先端側より示す斜視図である。
【図１３】本発明の第７実施形態に係る電気掃除機の吸込具の要部である回転清掃体を構成するブラシ繊維の一例を拡大して先端側より示す斜視図である。
【図１４】第７実施形態に係る電気掃除機の吸込具の要部である回転清掃体を構成するブラシ繊維の他の例を拡大して先端側より示す斜視図である。
【図１５】本発明の第８実施形態に係る電気掃除機の吸込具の要部である回転清掃体を構成するブラシ繊維を拡大して先端側より示す斜視図である。
【符号の説明】
１  吸込具本体、３  吸込口、４  回転清掃体、９  床面、１１  エアスリット（エア吹き付け用）、４１  回転軸、４２  清掃体、４２２  ブラシ列（前側）、４２３，４２３Ａ  ブラシ列（後ろ側）、４２４  弾性体、４２５，４２５Ａ  ループ状繊維、４２６  先端多毛ブラシ繊維、４２６ａ  先端側の複数繊維、４２６ｂ  根元側の単一繊維、４２７  多角形ブラシ繊維、４２８  凹多角形ブラシ繊維、４２９  凸部付きブラシ繊維、４３０  突起物付きブラシ繊維、４３１  凹部付きブラシ繊維。
【図１】
2005013319.tif 000003
【図２】
2005013319.tif 000004
【図３】
2005013319.tif 000005
【図４】
2005013319.tif 000006
【図５】
2005013319.tif 000007
【図６】
2005013319.tif 000008
【図７】
2005013319.tif 000009
【図８】
2005013319.tif 000010
【図９】
2005013319.tif 000011
【図１０】
2005013319.tif 000012
【図１１】
2005013319.tif 000013
【図１２】
2005013319.tif 000014
【図１３】
2005013319.tif 000015
【図１４】
2005013319.tif 000016
【図１５】
2005013319.tif 000017